(57)【特許請求の範囲】
【請求項１】
液体循環装置の大気開放タンクに内蔵されるパーティクルフィルタにおいて、
該パーティクルフィルタは、該タンクの上壁に該上壁から垂下するように取り付けられ周壁に液体流通孔を有する中空円筒状のガイドと、
該ガイド内に収納される中空円筒状のフィルタエレメントと、
該フィルタエレメントの両端に設けられた上部及び下部のエンドプレートと、
該ガイドの下端側の端板に設けられ、上記液体循環装置の配管と接続され、上記下部エンドプレートに設けられた開口に挿脱自在で該開口から突出する部分の管状壁に多数の小孔を有している管状のガイドコアと、
該ガイドの上端を覆い、上記タンクの上壁に着脱自在に取り付けられ、上記上部エンドプレートとスペーサボルトを介して連結された蓋部材とを有している、ことを特徴とするパーティクルフィルタ。
【請求項２】
上記パーティクルフィルタは、上記フィルタエレメント内に収納されるチェックボールを有し、
該チェックボールは上記液体より比重が大きく上記フィルタエレメントの取り出し時に上記下部エンドプレートの開口を塞ぐ、
ことを特徴とする請求項１に記載のパーティクルフィルタ。
【請求項３】
上記パーティクルフィルタは、上記フィルタエレメント内に収納され、周壁に多数の小孔を有し、上端が上記上部エンドプレートと連結棒により連結され、下端が上記下部エンドプレートの開口に接続された中空円筒状のプレートアッシを有し、
該プレートアッシ内に上記チェックボールが収納されている、
ことを特徴とする請求項２に記載のパーティクルフィルタ。
【発明の詳細な説明】
【０００１】
【発明の属する技術分野】
本発明は、ポンプとタンクを有する液体循環装置に使用するパーティクルフィルタに関するものである。
【０００２】
【従来の技術】
液体循環装置において、循環する液体中のパーティクルを捕捉するために、液体循環装置にパーティクルフィルタを設けることは公知である。
しかし、従来の液体循環装置は、フィルタエレメントが密閉容器中に入っており、液体の流れを止めずにフィルタエレメントを交換するにはフィルタの外部にバイパス配管やストップバルブを設置する必要があるという問題があった。
また、装置内にフィルタ容器の設置スペースが必要であり、装置の小型化と省配管の面で不利であるという問題があった。
また、フィルタエレメントのみを交換する場合は、フィルタエレメント内に捕捉されたパーティクルがフィルタエレメントの脱着時に外部に流出するという問題があった。
【０００３】
【発明が解決しようとする課題】
本発明の課題は、液体循環装置のタンク内に内蔵したパーティクルフィルタのフィルタエレメントを装置の運転を止めずに脱着しフィルタエレメントを交換することができるパーティクルフィルタを提供することにある。
本発明の他の課題は、パーティクルを捕捉したフィルタエレメントのみを交換することができるパーティクルフィルタを提供することにある。
本発明の更に他の課題は、フィルタエレメント内に捕捉されたパーティクルをフィルタエレメントの脱着時に外部に逃がさないパーティクルフィルタを提供することにある。
【０００４】
【課題を解決するための手段】
上記課題を解決するため、本発明に係るパーティクルフィルタは、液体循環装置の大気開放タンクに内蔵されるパーティクルフィルタにおいて、該パーティクルフィルタが、該タンクの上壁に該上壁から垂下するように取り付けられ周壁に液体流通孔を有する中空円筒状のガイドと、該ガイド内に収納される中空円筒状のフィルタエレメントと、該フィルタエレメントの両端に設けられた上部及び下部のエンドプレートと、  該ガイドの下端側の端板に設けられ、上記液体循環装置の配管と接続され、上記下部エンドプレートに設けられた開口に挿脱自在で該開口から突出する部分の管状壁に多数の小孔を有している管状のガイドコアと、該ガイドの上端を覆い、上記タンクの上壁に着脱自在に取り付けられ、上記上部エンドプレートとスペーサボルトを介して連結された蓋部材とを有していることを特徴としている。
【０００５】
また、同様の課題を解決するため、上記パーティクルフィルタが、上記フィルタエレメント内に収納されるチェックボールを有し、該チェックボールは上記液体より比重が大きく上記フィルタエレメントの取り出し時に上記下部エンドプレートの開口を塞ぐことを特徴としている。
【０００６】
また、本発明に係るパーティクルフィルタは、上記パーティクルフィルタが、上記フィルタエレメント内に収納され、周壁に多数の小孔を有し、上端が上記上部エンドプレートと連結棒により連結され、下端が上記下部エンドプレートの開口に接続された中空円筒状のプレートアッシを有し、該プレートアッシ内に上記チェックボールが収納されているのが適切である。
【０００７】
本発明に係るパーティクルフィルタは、液体循環装置の大気開放タンクに内蔵されるパーティクルフィルタにおいて、該パーティクルフィルタが、該タンクの上壁に該上壁から垂下するように取り付けられ周壁に液体流通孔を有する中空円筒状のガイドと、該ガイド内に収納される中空円筒状のフィルタエレメントと、該フィルタエレメントの両端に設けられた上部及び下部のエンドプレートと、  該ガイドの下端側の端板に設けられ、上記液体循環装置の配管と接続され、上記下部エンドプレートに設けられた開口に挿脱自在で該開口から突出する部分の管状壁に多数の小孔を有している管状のガイドコアと、該ガイドの上端を覆い、上記タンクの上壁に着脱自在に取り付けられ、上記上部エンドプレートとスペーサボルトを介して連結された蓋部材とを有しているため、上記蓋部材とタンク上壁との結合を外して蓋部材を持ち上げることにより、蓋部材に連結されているフィルタエレメントを液体循環装置の運転を止めずにタンクから取り出すことができる。
【０００８】
すなわち、本発明に係るパーティクルフィルタは、液体循環装置の大気開放タンクに内蔵されるパーティクルフィルタであり、中空円筒状のフィルタエレメントがタンク上壁から垂下する中空円筒状のガイド内に収納され、液体循環装置の配管がガイドコアに接続されており、該ガイドコアは下部エンドプレートの開口から突出する部分の管状壁に多数の小孔を有している上記ガイドの下端側の端板に設けられた管状のガイドコアであるため、蓋部材に連結されているフィルタエレメントがタンクから取り出されても、液体は液体循環装置の配管に接続されたガイドコアの多数の小孔を通ってタンク内に流入し循環の流れを遮断しないから、液体循環装置においてバイパス配管を設けなくても、そのタンク内に内蔵したパーティクルフィルタのフィルタエレメントを装置の運転を止めずに脱着しフィルタエレメントを交換することができる。
【０００９】
しかも、本発明に係るパーティクルフィルタは、フィルタエレメントを交換する際にパーティクルフィルタ全体をタンクから取り外す必要はなく、蓋部材に連結されているフィルタエレメントのみを簡単にタンクから取り出すことができるから、フィルタエレメントの交換が簡単に済む。
本発明に係るパーティクルフィルタは、上記パーティクルフィルタが、上記フィルタエレメント内に収納されるチェックボールを有し、該チェックボールは上記液体より比重が大きく上記フィルタエレメントの取り出し時に上記下部エンドプレートの開口を塞ぐから、フィルタエレメント内に捕捉されたパーティクルがフィルタエレメントの脱着時に下部エンドプレートの開口から外部に逃げ出すということがない。
【００１０】
また、本発明に係るパーティクルフィルタは、上記パーティクルフィルタが、上記フィルタエレメント内に収納され周壁に多数の小孔を有し上端が上記上部エンドプレートと連結棒により連結され下端が上記下部エンドプレートの開口に接続された中空円筒状のプレートアッシを有し、該プレートアッシ内に上記チェックボールが収納されているため、上記フィルタエレメントを上記ガイド内に収納した時には、上記チェックボールは上記ガイドコアにより押し上げられ該プレートアッシ内の上記ガイドコアの上端と該プレートアッシの上端との間の小さな空間に位置することになるから、該チェックボールが濾過の邪魔になることはなく、上記フィルタエレメントを上記ガイド内から取り出した時には、上記チェックボールはガイドコアにより押し上げられただけの少ない距離を落下すると共に、該プレートアッシの内周壁が上記チェックボールを上記下部エンドプレートの開口に導くガイドとなるから、上記下部エンドプレートの開口を確実に塞ぐことができる。
【００１１】
【発明の実施の形態】
図１は本発明に係るパーティクルフィルタの一実施例の要部の構成を示す概略断面図であり、図２は本発明に係るパーティクルフィルタのタンクから取り出したフィルタエレメントを示す概略断面図である。
本発明に係るパーティクルフィルタ１は、液体循環装置（図示せず）の大気開放タンク２に内蔵されるパーティクルフィルタであり、該パーティクルフィルタ１は、上記タンク２の上壁２ａに該上壁２ａから垂下するように取り付けられる中空円筒状のガイド３と、該ガイド３内に収納される中空円筒状のフィルタエレメント４と、該フィルタエレメント４の両端に設けられる上部エンドプレート５及び下部のエンドプレート６と、上記ガイド３の下端側の端板１０に設けられた管状のガイドコア１１と、上記ガイド３の上端を覆い上記タンク２の上壁２ａに着脱自在に取り付けられ上記上部エンドプレート５とスペーサボルト１７を介して連結された蓋部材１５とを有している。
【００１２】
更に詳述すると、上記タンク２はその上壁２ａに上記ガイド３が挿入される開口２ｂを有し、上記ガイド３の上端にはその径よりも大径のフランジ３ａが設けられており、上記蓋部材１５は該フランジ３ａより大径であってそのタンク側の面にはシールのためのガスケット１８が取り付けられており、該開口２ｂの周りの上壁２ａに上記フランジ３ａが載置され、該開口２ｂを塞ぐと共に該フランジ３ａを挟むように上記蓋部材１５が上壁２ａに載置され、上記蓋部材１５をその外周に配置した複数の耐腐食性の締め付けボルト１９で上壁２ａに締め付けることにより、上記ガイド３は上記タンク２の上壁２ａに該上壁２ａから垂下するように着脱自在に取り付けられ、上記ガイド３の上端は上記蓋部材１５により塞がれる。
【００１３】
上記フランジ３ａの上壁２ａへの取り付けは必ずしもこれに限定される必要はなく、溶接等により上壁２ａに一体的に固着してもよい。
上記蓋部材１５には取手１６が設けられており、該取手１６は取手形状の棒状部材１６ａと該棒状部材１６ａに挿入された樹脂チューブ１６ｂにより構成されている。
上記フィルタエレメント４の両端に設けられる上部エンドプレート５及び下部エンドプレート６はプレートアッシ２３及び連結棒２４により連結支持され、該フィルタエレメント４、上部及び下部エンドプレート５、６、プレートアッシ２３及び連結棒２４は、フィルタエレメント組立体７を構成している。
該実施例ではプレートアッシ２３は連結手段を兼用しているが、フィルタエレメント組立体を構成するにあたってはプレートアッシ２３は省略可能であり、プレートアッシ２３を用いない場合には上部エンドプレート５及び下部エンドプレート６は連結棒のみで連結支持される。
【００１４】
上記連結棒２４はその上端に段付き雄ネジ部３５を設けており、該段付き雄ネジ部３５を大径ワッシャ３６、上記ガスケット１８及び上記蓋部材１５に設けた開口に挿入して段付き雄ネジ部３５に螺入されるナット３７で締め付けることにより、これらの部材を該段付き雄ネジ部３５の段部とナット３７との間に挟持固定し、該大径ワッシャ３６、ガスケット１８、蓋部材１５が連結棒２４と一体的になるように取り付けている。
上記管状のガイドコア１１は、その下端部の液体流入口１１ａが上記端板１０の中央に設けた開口１０ａに挿入固着されており、したがって該ガイドコア１１は該開口１０ａ及び液体流入口１１ａを介して上記液体循環装置の配管９と接続されている。
【００１５】
更に、該ガイドコア１１は、上記下部エンドプレート６に設けられた開口６ａに液密かつ挿脱自在に挿入可能であり、該開口６ａから突出する部分の管状壁には多数の小孔１１ｂが設けられており、上記液体循環装置の配管９から開口１０ａ及び液体流入口１１ａを介して該ガイドコア１１に流入した液体は該多数の小孔１１ｂを通って上記フィルタエレメント内に流出する。
上記開口１０ａに対するガイドコア１１及び配管９の端部の挿入固着は、上記端板１０とガイドコア１１と配管９がそれぞれ液密になるように固着されるのが望ましく、上記開口６ａはその内周壁に設けた環状溝にＯリング３３が挿入されている。
【００１６】
上記パーティクルフィルタ１は、上記フィルタエレメント４内に上記液体より比重が大きいチェックボール２０を収納させることができる。
上記フィルタエレメント４内にチェックボール２０を収納させた場合には、上記フィルタエレメント４を上記ガイド３内から取り出す時に、上記ガイドコア１１が上記下部エンドプレート６の開口６ａから抜け出ることにより上記チェックボール２０が落下して上記下部エンドプレート６の開口６ａを塞ぐから、フィルタエレメント４内に捕捉されたパーティクルがフィルタエレメント４の脱着時に下部エンドプレート６の開口６ａから外部に逃げ出すということがない。
【００１７】
上記フィルタエレメント４を上記ガイド３内に収納した時には、上記ガイドコア１１がチェックボール２０を押し上げて上記下部エンドプレート６の開口６ａに挿入され、上記ガイドコア１１の管状壁に多数の小孔１１ｂが設けられた部分が上記開口６ａから上記フィルタエレメント内に突出するから、図１の矢印で示すように、上記開口１０ａ及び液体流入口１１ａからガイドコア１１内に流入した液体は、該多数の小孔１１ｂを通ってフィルタエレメント４内に流入する。
図１において、３０はタンク２内の液面の位置であり、フィルタエレメント４で濾過された液体は、図１の矢印で示すように、フィルタエレメント４からタンク２内へ流出する。
【００１８】
上記パーティクルフィルタ１は、上記フィルタエレメント４内に上記チェックボール２０が収納される中空円筒状のプレートアッシ２３を設けることができ、該プレートアッシ２３はその周壁に多数の小孔２３ａ（図２参照）を有すると共にその上端に端板２３ｂを有し、該端板２３ｂは連結棒２４を螺合により着脱自在に固着し、該連結棒２４は上記上部エンドプレート５及び上記スペーサボルト１７に螺合により着脱自在に固着され、該プレートアッシ２３の下端は上記下部エンドプレート６の開口６ａに接続されると共に該下部エンドプレート６に螺合等により着脱自在に固着されている。
【００１９】
該プレートアッシ２３を設けると、上記フィルタエレメント４を上記ガイド３内に収納した時には、上記チェックボール２０は上記ガイドコア１１により押し上げられ該プレートアッシ２３内の上記ガイドコア１１の上端と該プレートアッシ２３の上端との間の小さな空間に位置することになるから、該チェックボール２０が濾過の邪魔になることはなく、上記フィルタエレメント４を上記ガイド内から取り出した時には、上記チェックボール２０はガイドコア１１により押し上げられただけの少ない距離を落下すると共に、該プレートアッシ２３の内周壁が上記チェックボール２０を上記下部エンドプレート６の開口６ａに導くガイドとなるから、上記下部エンドプレート６の開口６ａを確実に塞ぐことができる。
【００２０】
上記フィルタエレメント４は、そのの両端がシール部材３１、３２を介して上部エンドプレート５及び下部エンドプレート６に螺合等により着脱自在に取り付けられており、上部エンドプレート５及び下部エンドプレート６を連結支持するプレートアッシ２３及び連結棒２４は、該エンドプレート５、６と共にフィルタエレメント組立体７の強度部材となっている。
上記フィルタエレメント４を挟み込むように取り付けた上下２つのエンドプレート５、６、プレートアッシ２３及び連結棒２４は、フィルタエレメント４も含めこれらが相互に一体となるように取り付けられて前述のフィルタエレメント組立体７を構成しているため、これらの部材を一緒にタンク２から取り外すことができる。
すなわち、上記パーティクルフィルタ１は、上記締め付けボルト１９を緩めて蓋部材１５とタンク上壁２ａとの結合を外し、蓋部材１５の取手１６をつかんで蓋部材１５を持ち上げると、蓋部材１５にスペーサボルト１７を介して連結されたフィルタエレメント組立体７を液体循環装置の運転を止めずにタンクから取り出すことができる。
【００２１】
タンクから取り出したフィルタエレメント組立体７は、必要に応じ分解・組立することができ、例えば、フィルタエレメント４の両端に設けたエンドプレート５、６を回して緩めることによりフィルタエレメント４を取り出すことができるから、パーティクルを捕捉したフィルタエレメント４のみを交換することができる。
そして、上記パーティクルフィルタ１は、フィルタエレメント内に収納されるチェックボール２０がフィルタエレメント組立体７の取り出し時に下部エンドプレートの開口６ａを塞ぐため、フィルタエレメント４内に捕捉されたパーティクルをフィルタエレメントの脱着時に外部に逃がさない。
【００２２】
【発明の効果】
以上に詳述したように、本発明によれば、液体循環装置のタンク内に内蔵したパーティクルフィルタのフィルタエレメントを装置の運転を止めずに脱着しフィルタエレメントを交換することができ、パーティクルを捕捉したフィルタエレメントのみを交換することができ、フィルタエレメント内に捕捉されたパーティクルをフィルタエレメントの脱着時に外部に逃がさないパーティクルフィルタを提供することができる。
【図面の簡単な説明】
【図１】本発明に係るパーティクルフィルタの一実施例の要部の構成を示す概略断面図である。
【図２】本発明に係るパーティクルフィルタのタンクから取り出したフィルタエレメントを示す概略断面図である。
【符号の説明】
１      パーティクルフィルタ
２      大気開放タンク
２ａ    タンク上壁
３      中空円筒状のガイド
４      フィルタエレメント
５，６  エンドプレート
６ａ    下部エンドプレートに設けられた開口
９      液体循環装置の配管
１０    端板
１１    ガイドコア
１５    蓋部材
１６    取手
２０    チェックボール
２３    プレートアッシ
【図１】
0004613423.tif 000002
【図２】
0004613423.tif 000003